(57)【要約】      （修正有）【課題】天井フレームの組立と同時に給電回路の布設が完成できる天井フレームのバー構造を提供する。【解決手段】建築天井を構成する天井フレームのバー構造１は電線１０２が設けられた中空部１０１を有する複数の管状部材１０と、これら管状部材の電線を電気的に接続するための電線接続器１１とからなる。これにより、管状部材及び電線接続器を天井フレームに組み合わせると同時に給電回路が布設される。【選択図】図１
0003166323.tif 000002
【実用新案登録請求の範囲】
【請求項１】
少なくとも電線が設けられた中空部を有する複数の管状部材と、これら管状部材の電線を電気的に接続する電線接続器とを含みこれら管状部材及び電線接続器を天井フレームに組み合わせると同時に給電回路を布設する天井フレームのバー構造。
【請求項２】
一対の管状部材を連結する少なくとも一つの部材接続器をさらに含むことを特徴とする請求項１記載の天井フレームのバー構造。
【請求項３】
前記部材接続器が、一対の管状部材を締結するための締結部を有することを特徴とする請求項２記載の天井フレームのバー構造。
【請求項４】
前記給電回路はコンセントに電気的に接続されることにより、そのコンセントから電力を得ることを特徴とする請求項１記載の天井フレームのバー構造。
【請求項５】
前記天井フレームに少なくとも一つの電気を要する設備機器が設けられ、該電気を要する設備機器は電線接続器を介して給電回路により作動することを特徴とする請求項１記載の天井フレームのバー構造。
【請求項６】
前記電気を要する設備機器は照明器具であることを特徴とする請求項５記載の天井フレームのバー構造。
【請求項７】
前記照明器具には発光ダイオード（ＬＥＤ）が用いられることを特徴とする請求項６記載の天井フレームのバー構造。
【請求項８】
前期電気を要する設備機器は非常用警報設備であることを特徴とする請求項５記載の天井フレームのバー構造。
【請求項９】
前記非常用警報設備は非常警報設備及び非常放送設備であることを特徴とする請求項８記載の天井フレームのバー構造。
【請求項１０】
前期電気を要する設備機器は非常用避難設備であることを特徴とする請求項５記載の天井フレームのバー構造。
【請求項１１】
前記非常用避難設備は誘導灯であることを特徴とする請求項１０記載の天井フレームのバー構造。
【請求項１２】
前記電線接続器は管状部材と連結されるコネクタと、電子設備に電気的に接続される差込口とを少なくとも有することを特徴とする請求項５記載の天井フレームのバー構造。
【考案の詳細な説明】
【技術分野】
【０００１】
本考案は建築天井を構成する天井フレームのバー構造に関する。
【背景技術】
【０００２】
現在、建築物において電気を要する設備機器が設置される天井を構築するには、一般にまずバーを組立てて天井フレームの大部分の骨組構造を完成した後、天井フレームを支える吊ボルトを介して需要の電源供給の配線工事を行い設備機器への電源供給回路が完成される。
【０００３】
しかし、このような従来の天井フレームの組立及びこのフレームに適合する電線の布設は一般に別々の業者が行っている。詳述すると、配線時に天井フレーム骨組の一部を利用する必要があるため、最初に天井フレーム工事が行われ、天井フレーム工事の終了後に配線工事が行われる。従って、両工事の引継ぎが円滑に行われないと、全工事の効率が低くなる。これを防止するために、煩雑な工程管理が必要となる。以上の事情を鑑み、出願人は専心試験及び研究を続けて本考案を提案するものである。
【考案の概要】
【考案が解決しようとする課題】
【０００４】
上記の問題点を解消するために、本考案の目的は、天井フレームの組立と同時に給電回路の布設が完成できる天井フレームのバー構造を提供することにある。
【課題を解決するための手段】
【０００５】
上記の目的を達成するために、本考案は少なくとも電線が設けられた中空部を有する複数の管状部材と、これら管状部材の電線を電気的に接続する電線接続器とを含みこれら管状部材及び電線接続器を天井フレームに組み合わせると同時に給電回路を布設することをその要旨とする。
【０００６】
好ましくは、その天井フレームのバー構造において、二つのその管状部材を連結する少なくとも一つの部材接続器をさらに含む。
【０００７】
好ましくは、その天井フレームのバー構造において、その部材接続器が、二つのその管状部材を締結するための締結部を有する。
【０００８】
好ましくは、その天井フレームのバー構造において、その給電回路をコンセントで電気的に接続することにより、そのコンセントから電力を得る。
【０００９】
好ましくは、その天井フレームのバー構造において、その天井フレームに少なくとも一つの電気を要する設備機器が設けられ、その電気を要する設備機器がその電線接続器を介してその給電回路により作動する。
【００１０】
好ましくは、その天井フレームのバー構造において、その電気を要する設備機器は照明器具である。
【００１１】
好ましくは、その天井フレームのバー構造において、その照明器具には発光ダイオード（ＬＥＤ）が用いられる。
【００１２】
好ましくは、その天井フレームのバー構造において、その電気を要する設備機器は非常
用警報設備である。
【００１３】
好ましくは、その天井フレームのバー構造において、その非常用警報設備には非常警報設備及び非常放送設備である。
【００１４】
好ましくは、その天井フレームのバー構造において、その電気を要する設備機器は非常用避難設備である。
【００１５】
好ましくは、その天井フレームのバー構造において、その非常用避難設備は誘導灯である。
【００１６】
好ましくは、その天井フレームのバー構造において、その電線接続器は、その管状部材と連結されるコネクタと、その電気を要する設備機器に電気的に接続される差込口とを少なくとも有する。
【考案の効果】
【００１７】
本考案における天井フレームのバー構造によれば、天井フレームに組み合わせたと同時に、需要の給電回路の布設が完成できるのみならず、電線接続器の設置に基づき、天井フレームの任意の需要の位置に電気を要する設備機器（例えば、照明器具又は非常用警報設備等）を装着できるので、工期を短縮できるのみならず、工事の効率を向上できる。これにより、従来の建築天井工事の有する欠点を有効に改良できる。
【図面の簡単な説明】
【００１８】
【図１】は本考案における天井フレームのバー構造の好ましい実施例の構造模式図。
【図２Ａ】は本考案における天井フレームのバー構造の好ましい実施例の組立模式図。
【図２Ｂ】は本考案における天井フレームのバー構造の好ましい実施例の組立詳細模式図。
【図３】は本考案における天井フレームのバー構造の好ましい実施例の組立模式図。
【図４】は本考案における天井フレームのバー構造に合せて使用される電線接続器の好ましい実施例の構造模式図。
【考案を実施するための形態】
【００１９】
図１は本考案における天井フレームのバー構造の好ましい実施例の構造模式図である。図１に示すように、天井フレームのバー構造１は主として金属製（例えばアルミニウム）の一対の管状部材１０及び電線接続器１１からなる。管状部材１０は電線１０２が設けられた中空部１０１を有し、電線接続器１１は管状部材１０の電線１０２を電気的に接続するためのものである。このように、管状部材１０及び電線接続器１１を天井フレームに組み合わせたと同時に、給電回路の布設が完成できる。
【００２０】
図２Ａは本考案の天井フレームのバー構造の好ましい実施例の組立模式図である。図２Ａに示すように、天井フレームのバー構造２の主な構造も管状部材２０であり、中空部２０１も有し、構造上すべて図１と同一である。なお、図２Ａにおいて中空部２０１内の電線の図示が省略されている。
【００２１】
図２Ａにおいて、天井フレームのバー構造２は、少なくとも一つの部材接続器２２及び同部材接続器２２に合せて使用される締結部２３をさらに含んでいる。図２Ａに示すように、一対の管状部材２０を組み付けようとするとき、部材接続器２２により管状部材２０を連結するとともに、締結部２３により管状部材２０同士を締結する。
【００２２】
図２Ｂは本考案における天井フレームのバー構造の好ましい実施例の組立詳細模式図である。図２Ｂは図２Ａにおける天井フレームのバー構造の、管状部材を組み付けるときの詳細な構造を示している。図２Ｂにより部材接続器２２により管状部材２０を連結するとともに、締結部２３により管状部材２０同士を締結することがわかる。
【００２３】
図３は本考案における天井フレームのバー構造の好ましい実施例の組立模式図である。図２Ａの組立模式図と異なる箇所は、この実施例において、形状が部材接続器２２と異なる部材接続器３２により管状部材３０を連結するとともに、締結部２３により管状部材２０同士を締結する。これにより、図３に示すように、形状が図２Ａと異なる天井フレームに組み付ける。
【００２４】
図４は本考案における天井フレームのバー構造に合せて使用される電線接続器の好ましい実施例の構造模式図である。図４に示すように、電線接続器４１はコネクタ４１１及び差込口４１２を少なくとも有する。コネクタ４１１は管状部材と連結されて電線４０２を収容し、差込口４１２は使用すべき設備機器と電気的に接続される。コネクタ４１１により設備機器を電線４０２に電気的に接続することにより、設備機器を布設済みの給電回路を介して作動させる。
【００２５】
特に述べることは、給電回路の布設が完成した天井フレーム全体は別個の工事により設置された建物のコンセントに対して電気的に接続されることにより、そのコンセントから電力を得る。
【００２６】
また、詳細に図示していないが、給電回路の布設が完成した天井フレーム全体に合せて使用されるべき設備機器が照明器具又は非常用警報設備等を含むことを、当該技術を熟知する者が容易に知り得る。また、その照明器具は現在流行し使用されている発光ダイオード（ＬＥＤ）を有する照明器具を当然含んでいる。
【００２７】
上記したように、本考案は天井フレームのバー構造を提案する。このような構成では、天井フレームに組み合わせたと同時に、必要な給電回路の布設が完成できるのみならず、電線接続器の設置に基づき、天井フレームの任意の需要の位置にＬＥＤ照明器具等の電気を要する設備機器を装着できるので、工期を短縮できるのみならず、工事の効率を向上できる。これにより、従来の建築天井工事の有する欠点を有効に改良できる。
【符号の説明】
【００２８】
１、２      天井フレームのバー構造
１０、２０、３０  管状部材
１１、４１    電線接続器
１０１、２０１  中空部
１０２、４０２  電線
２２、３２    部材接続器
２３        締結部
４１１      コネクタ
４１２      差込口
【図１】
0003166323.tif 000003
【図２Ａ】
0003166323.tif 000004
【図２Ｂ】
0003166323.tif 000005
【図３】
0003166323.tif 000006
【図４】
0003166323.tif 000007
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
少なくとも電線が設けられた中空部を有する複数の管状部材と、これら管状部材の電線を電気的に接続する電線接続器とを含みこれら管状部材及び電線接続器を天井フレームに組み合わせることによって構成される給電回路を布設する天井フレームのバー構造。
【請求項２】
一対の管状部材を連結する少なくとも一つの部材接続器をさらに含むことを特徴とする請求項１記載の天井フレームのバー構造。
【請求項３】
前記部材接続器が、一対の管状部材を締結するための締結部を有することを特徴とする請求項２記載の天井フレームのバー構造。
【請求項４】
前記給電回路はコンセントに電気的に接続されることにより、そのコンセントから電力を得ることを特徴とする請求項１記載の天井フレームのバー構造。
【請求項５】
前記天井フレームに少なくとも一つの電気を要する設備機器が設けられ、該電気を要する設備機器は電線接続器を介して給電回路により作動することを特徴とする請求項１記載の天井フレームのバー構造。
【請求項６】
前記電気を要する設備機器は照明器具であることを特徴とする請求項５記載の天井フレームのバー構造。
【請求項７】
前記照明器具には発光ダイオード（ＬＥＤ）が用いられることを特徴とする請求項６記載の天井フレームのバー構造。
【請求項８】
前期電気を要する設備機器は非常用警報設備であることを特徴とする請求項５記載の天井フレームのバー構造。
【請求項９】
前記非常用警報設備は非常警報設備及び非常放送設備であることを特徴とする請求項８記載の天井フレームのバー構造。
【請求項１０】
前期電気を要する設備機器は非常用避難設備であることを特徴とする請求項５記載の天井フレームのバー構造。
【請求項１１】
前記非常用避難設備は誘導灯であることを特徴とする請求項１０記載の天井フレームのバー構造。
【請求項１２】
前記電線接続器は管状部材と連結されるコネクタと、電子設備に電気的に接続される差込口とを少なくとも有することを特徴とする請求項５記載の天井フレームのバー構造。